(57)【要約】  ワイヤロープ１１の外周に反射テープ１２（若しくは蛍光テープ）を巻きつけ、さらにその外周に透光性部材で形成された保護層１３を設けることにより、夜間等におけるワイヤロープの視認性が向上した反射テープ（若しくは蛍光テープ）付きワイヤロープ及び、当該反射テープ（若しくは蛍光テープ）付きワイヤロープを用いたケーブル式道路防護柵。
2020084653.tif 000002
【特許請求の範囲】
【請求項１】
ワイヤロープの外周に反射テープが巻きつけられ、さらにその外周が透光性部材で形成された保護層で被覆されていることを特徴とする反射テープ付きワイヤロープ。
【請求項２】
ワイヤロープの外周に蛍光テープが巻きつけられ、さらにその外周が透光性部材で形成された保護層で被覆されていることを特徴とする蛍光テープ付きワイヤロープ。
【請求項３】
請求項１に記載の反射テープ付きワイヤロープ又は請求項２に記載の蛍光テープ付きワイヤロープを少なくとも１本備えることを特徴とするケーブル式道路防護柵。
【発明の詳細な説明】
【技術分野】
【０００１】
本発明は、反射テープ付きワイヤロープ、蛍光テープ付きワイヤロープ及びこれらを有するケーブル式道路防護柵に関する。
【背景技術】
【０００２】
道路の安全性を高めるための施設として、ガードレールなどの道路防護柵が用いられている。道路防護柵は、主として、走行車両が対向車線や歩道などに逸脱するのを防ぐために車道に沿って設置するための柵状の施設であり、車道に沿ってビームや索体が支柱によって支持されている構造を基本態様とした施設である。
この道路防護柵の一つに、支柱間にワイヤロープを張ったケーブル式道路防護柵がある。ケーブル式道路防護柵に対する要望の１つに、夜間等におけるワイヤロープの視認性を向上させたいというものがある。
これに関し、ケーブル式の道路防護柵に用いるワイヤロープに関する従来技術が特許文献１によって開示されている。
【先行技術文献】
【特許文献】
【０００３】
【特許文献１】特許第６３６８４４９号公報
【発明の概要】
【発明が解決しようとする課題】
【０００４】
特許文献１では、ストランド同士の間の凹部に沿って樹脂線を螺旋状に巻付けたワイヤロープが開示されており、この樹脂線に蓄光材を含めることの記載がされている。これによれば、夜間等におけるワイヤロープの視認性がある程度向上されると思われる。
しかしながら、蓄光による発光はあまり強くなく、且つ時間の経過とともに弱くなるものであるため、ワイヤロープの視認性の向上という面では限界があった。また、例えば山間部等の道路等、季節や設置環境の条件等によって光がほとんど当たらない場合もあり得、この面からもワイヤロープの視認性の向上という面では限界があった。
加えて、特許文献１のごとく、ストランドの間の凹部に沿って樹脂線を巻付けるものの場合、施工時や車両接触時等に受ける摩擦等によって樹脂線が切れてしまう恐れがあり、また、一箇所でも樹脂線が切れてしまうと、そこから樹脂線が解けて脱落していってしまうおそれがあるものであった。【０００５】
本発明は、上記の点に鑑み、夜間等におけるワイヤロープの視認性の向上が図られたワイヤロープを提供することを目的とする。
【課題を解決するための手段】
【０００６】
（構成１）
ワイヤロープの外周に反射テープが巻きつけられ、さらにその外周が透光性部材で形成された保護層で被覆されていることを特徴とする反射テープ付きワイヤロープ。【０００７】
（構成２）
ワイヤロープの外周に蛍光テープが巻きつけられ、さらにその外周が透光性部材で形成された保護層で被覆されていることを特徴とする蛍光テープ付きワイヤロープ。【０００８】
（構成３）
構成１に記載の反射テープ付きワイヤロープ又は構成２に記載の蛍光テープ付きワイヤロープを少なくとも１本備えることを特徴とするケーブル式道路防護柵。
【発明の効果】
【０００９】
本発明の反射テープ付きワイヤロープ、蛍光テープ付きワイヤロープ及びこれらを有するケーブル式道路防護柵によれば、反射テープ（若しくは蛍光テープ）により、ヘッドライト等に光が当たることによって、蓄光材に比べより強く光を放つため、夜間等におけるワイヤロープの視認性の向上が図られる。
【図面の簡単な説明】
【００１０】
【図１】本発明に係る実施形態の反射テープ付きワイヤロープ（保護層図示省略）を示す図
【図２】実施形態の反射テープ付きワイヤロープの断面図
【図３】ケーブル式道路防護柵を示す図
【図４】反射テープ付きワイヤロープ（保護層図示省略）の別の例を示す図
【発明を実施するための形態】
【００１１】
以下、本発明の実施形態について、図面を参照しながら具体的に説明する。なお、以下の実施形態は、本発明を具体化する際の一形態であって、本発明をその範囲内に限定するものではない。
【００１２】
図１は本発明に係る実施形態の反射テープ付きワイヤロープを示す概略図であり、図２は同反射テープ付きワイヤロープの断面を示す図である。なお、図示の都合上、図１においては、最外層に設けられる透明な樹脂チューブ（透光性部材で形成された保護層）を省略している。
【００１３】
図１、２に示されるように、本実施形態の反射テープ付きワイヤロープ１０は、ワイヤロープ１１（本実施形態では３×７のワイヤロープ）の外周に反射テープ１２が螺旋状に巻きつけられ、さらにその外周が透明樹脂チューブ（透光性部材で形成された保護層）１３で被覆されているものである。
【００１４】
ワイヤロープ１１は、本実施形態では３×７のワイヤロープを例としているが、任意の構成のワイヤロープを用いることができる。
【００１５】
反射テープ１２は、ビーズタイプやプリズムタイプなど、任意の反射テープを用いることができるが、ワイヤロープに対して巻付けることができるだけの柔軟性を有していることが望ましい。
反射テープ１２は、ワイヤロープ１１の外周に螺旋状に巻きつけられる。なお、反射テープ１２は、粘着層を有することや接着剤等の使用により、ワイヤロープ１１に対して貼着されるものであっても良いし、ワイヤロープ１１に対する接着等はされずに単に巻きつけられるものであっても構わない。
本実施形態では、ワイヤロープ１１の撚り方向と同じ向きで、反射テープ１２が螺旋状に巻かれるものを例としているが、ワイヤロープ１１の撚り方向と、反射テープ１２の螺旋方向が逆となるものであっても構わない。
【００１６】
透明樹脂チューブ１３は、ワイヤロープ１１や反射テープ１２保護するものであり、本実施形態では透明の樹脂製のチューブである。反射テープ１２が巻きつけられたワイヤロープ１１が、透明樹脂チューブ１３内に挿通されることにより、反射テープ付きワイヤロープ１０が形成される。
なお、透明樹脂チューブ１３として、透明の熱収縮チューブを用い、反射テープ１２が巻きつけられたワイヤロープ１１を挿通した後に、熱を加えて密着させるようにしてもよい。
【００１７】
図３は、ケーブル式道路防護柵の概略を示す図である。ケーブル式道路防護柵１００は、その両端に設置される端末支柱１０３と、中間支柱１０２と、これらの各支柱によって車道に沿って支持されるワイヤロープとを備える。
当該ワイヤロープに、反射テープ付きワイヤロープ１０を用いることにより、夜間等におけるケーブル式道路防護柵のワイヤロープの視認性が向上される。即ち、本実施形態の反射テープ付きワイヤロープ１０によれば、反射テープ１２によって車のヘッドライト等の光が反射されるため、特許文献１のように蓄光材を含めた樹脂線を設けるものに比して高輝度であり、視認性に優れるものである。
また、特許文献１のように樹脂線をワイヤロープに巻きつける場合、特許文献１の図２等に示されるように、断面形状において樹脂線が突起物となる。このような突起部分は、施工時や車両接触時等において傷を受けやすくなり、樹脂線が破断し易くなる。樹脂線の太さを細くすれば、断面形状において樹脂線が突起物となることを低減できるが、樹脂線を細くしてしまうと、視認性向上の効果が低下するという問題がある。
これに対し、本実施形態の反射テープ付きワイヤロープ１０では、反射テープ１２を用いているため、上記のような問題が低減されるものである。
また、特許文献１の樹脂線は、前述のごとく破断が生じやすい恐れがあり、一箇所でも破断が生じてしまうと、そこから樹脂線が解けて脱落していってしまうおそれがある。
これに対し、本実施形態の反射テープ付きワイヤロープ１０では、保護層としての透明樹脂チューブ１３によって被覆されているため、反射テープ１２が傷ついたり破断したりすることが低減され、且つ、仮に局所的に破断が生じたとしても、そこから反射テープ１２が解れて脱落してしまうことはない。
【００１８】
以上のごとく、本実施形態の反射テープ付きワイヤロープ１０によれば、反射テープ１２が巻きつけられていることにより、夜間等におけるワイヤロープの視認性が向上される。また、透明樹脂チューブ１３によって被覆されているため、反射テープ１２が傷ついたり脱落したりするといったことが防止される。
【００１９】
なお、本実施形態では、反射テープ付きワイヤロープ１０をケーブル式道路防護柵に用いるものを例としているが、本発明をこれに限るものではなく、反射テープ付きワイヤロープ１０は各種の用途に利用することができる。
なお、反射テープ付きワイヤロープ１０をケーブル式道路防護柵に用いる場合、全てのワイヤロープに反射テープ付きワイヤロープ１０を用いるようにしてもよいし、一部のみ反射テープ付きワイヤロープ１０としてもよい。
例えば１本だけ反射テープ付きワイヤロープ１０にする場合、最上段のワイヤロープに反射テープ付きワイヤロープ１０を用いると、視認性向上の効果が大きいと考えられる。
【００２０】
本実施形態では反射テープを巻きつけるものを例としているが、蛍光テープを巻きつけるものであってもよい。また、反射テープと蛍光テープの両方を巻付けるものであってもよく、さらに蓄光テープを巻きつけるものとしてもよい。
また、反射テープとして、再帰反射テープを用いる等してもよい。
【００２１】
本実施形態では、保護層として、透明樹脂チューブ１３を使用するものを例としているが、光を透過させることができるものであって、保護層としてワイヤロープを被膜することができるものであればよい。例えば樹脂等をワイヤロープにコーティング（コーティング方法は任意の方法を採用できる）して被膜させるようなもの等でもよい。
【００２２】
ワイヤロープに対する反射テープの巻付けは、任意の巻き付け方としてよい。
図４には、反射テープ付きワイヤロープ（保護層図示省略）の別の例を示した。
例えば、ワイヤロープに巻きつける反射テープの本数も任意であり、図４（ａ）には２本の反射テープ１２´を巻付けた反射テープ付きワイヤロープ１０´を一例として示している。
反射テープの幅や、巻付ける本数、或いは巻きつけのピッチを調節することによって、反射面の面積の調節を容易に行うことができる。例えば、ピッチをより狭くしていくことで、ワイヤロープの表面がほぼ全面的に反射テープで覆われるようにしてもよい。
また、本実施形態では、反射テープを螺旋状に巻きつけるものを例としているが、これに限るものではなく、例えば図４（ｂ）に示した反射テープ付きワイヤロープ１０´´のように、リング状に反射テープ１２´´を巻付けてもよい。
【符号の説明】
【００２３】
１０．．．反射テープ付きワイヤロープ
１１．．．ワイヤロープ
１２．．．反射テープ
１３．．．透明樹脂チューブ（透光性部材で形成された保護層） 
１００．．．ケーブル式道路防護柵
【図１】
2020084653.tif 000003
【図２】
2020084653.tif 000004
【図３】
2020084653.tif 000005
【図４】
2020084653.tif 000006
【国際調査報告】
2020084653.tif 000007
2020084653.tif 000008
2020084653.tif 000009
2020084653.tif 000010